(57)【要約】      （修正有）【課題】単一製品筒状に複数体及び複数色を収納送りだし機能付きアイライン及びアイブロウ、口紅。【解決手段】筒状内面に送りだし部材用の前方進行ガイドを取り付け、振動吸収材使用送りだし機能部材に保持されたアイライン、アイブロウを前方後進させながら使用し且つ折れても送りだせばくり返し使用出来、単一製品に複数体及び複数色のアイライン、アイブロウが装填されているので携帯性に富みさまざまな状況でメイクアップが楽しめる。【選択図】図１
2007061571.tif 000002
【特許請求の範囲】
【請求項１】
筒状に複数以上のさまざまな送りだし機能部材を内蔵するアイライン及びアイブロウ，口紅であって、内蔵する送り出し機能部材にはめ込まれたアイライン、アイブロウ、口紅が外観から色、種類が判別出来る方法が成され、アイライン、アイブロウ完成体が筒状内面にそって完成体の内面最大直線部分の長さが送りだされるメイクアップ用筒状複数体、複数色収納送りだし機能付きアイライン及びアイブロウ、口紅。
【発明の詳細な説明】
【技術分野】
【０００１】本発明は一般化粧用アイライン及びアイブロウ、口紅に関する。
【背景技術】
【０００２】従来ＧＭＰ基準規格に準じるメイクアップアイライン及びアイブロウ、口紅は文房具類の鉛筆タイプや本体中部を回転させながら芯先を繰り出す機能を有するさまざまな形、デザインを凝らした製品が生産、使用されている。また鉛筆タイプのアイラインには２色を有するのが生産されているが３本以上有する製品がないのが現状であるがクレヨンでは多色ものも生産されているのが現状である。
【発明の開示】
【発明が解決しようとする課題】
【０００３】上述ののように従来技術に関わるメイクアップ用アイライン、アイブロウ、口紅製品は、単色であり、鉛筆タイプは２色もあるが３色以上有するアイライン、アイブロウ、口紅は単一製品では生産されておらず、また従来製品の繰り出し機能のアイラインは両手の指先で回転させながら使用する。【０００４】従来、文房具類筆記具で筒状複数収納の通称ロケットペンシル、クレヨンで見られる内蔵部材を後ろから押し出しながら使用する製品があるが鉛筆の芯、クレヨン本体が内蔵部材に取り付けられているが取り付け部から折れた場合は使用不可能となる。【０００５】鉛筆タイプのアイライン及びアイブロウは芯本体が軟らかい材質によって形成されて作られていますので削器などで削る時たびたび折れる事が起こるのが現状である。使用者にとって使用しながら目減りするのは良いが削っている時に折れるのは不本意であると感じているのが現状である。
【課題を解決するするための手段】
【０００６】上述の目的を達成する本発明の筒状複数収納送りだし機能付き本製品は単一製品の筒状に複数のアイライン、アイブロウ、口紅を収納が出来且つ複数色を有する製品化が可能であり送りだし機能付き内蔵部材に装着されたアイライン、アイブロウ，口紅は取り付け部から折れた場合も送りだせば使用出来、削る必要もなくまた本体筒状にキャップを装着させアイライン、アイブロウ，口紅の芯をゴミ、ホコリなどつかないように衛生的に保管できるしまた回りを汚さない。
【発明の効果】
【０００７】以上説明したように本発明によれば筒状複数体、複数色のアイラインアイブロウ、口紅が単一製品に収納されており従来の文房具の通称ロケットタイプの筆記具に見られる芯が折れた場合使用が出来なくなる事をさまざまな送りだし機能方法で解決し且つ複数体、複数色の本製品が装填されているので使用者は携帯性に便利であり、さまざまな状況によってメイクアップが楽しめる状況を提供することができる。
【発明を実施する最良の方法】
【０００８】以下本発明の実施の形態を図面に基ずき詳細に説明する。
【０００９】
【図１】
は筒内面送りだし部材がイド付き３．筒の本体軸に８．筒ｂ送りだし本体にアイライン及びアイブロウ、口紅の完成体を４セットそれぞれ別色で装填されており１．筒先端部に２．キャップをかぶせゴミ、ホコリなどの付着を防ぎ衛生的に保持ができる。
【００１０】
【図５】
のアイライン、アイブロウ及び口紅の完成体は
【図２】
筒ａの後方から装填され使用される。
【００１１】
【図２】
は１．筒ａの本体軸は硬質プラスチック製で内面最上部に強度、弾性に富んだプラスチック製の
【図３】
４．送りだし及びアイライン、アイブロウ、口紅保持部材の１２．ハンドレバーの前進を妨げないガイドを有する。
【００１２】
【図３】
は上述のように強度及び弾性性質のあるプラスチック製の４．送りだし芯保持部材１２．のハンドレバーを押し下げながら前進させ６．の横幅の長さ分だけ芯が進められ６．の奥行き幅９．のガイド縦幅に納まり芯のストッパーとなるものである。９．のガイドの長さはアイライン、アイブロウ、口紅の長さによってガイドの長さを調節する事ができる。
【００１３】
【図４】
は
【図３】
の４．送りだし及び芯保持部材の１２．ハンドレバー部を押し下げ後方穴８．筒ｂに装填し１２．ハンドレバー部最上部１２．が９．の縦幅に納まる。
【００１４】
【図５】
は４．送りだし及び芯保持部材を８．筒ｂにアイライン、アイブロウまたはアイブロウの装填した図である。
口紅の場合、口紅サイズによって各部材の寸法は変更し生産する。
【図１】
2007061571.tif 000003
【図２】
2007061571.tif 000004
【図３】
2007061571.tif 000005
【図４】
2007061571.tif 000006
【図５】
2007061571.tif 000007
【手続補正書】
【提出日】平成17年11月22日(2005.11.22)
【手続補正２】
【補正対象書類名】明細書
【補正対象項目名】全文
【補正方法】変更
【補正の内容】
【発明の詳細な説明】
【技術分野】
【０００１】本発明は一般化粧用アイライン及びアイブロウ、口紅に関する。
【背景技術】
【０００２】従来ＧＭＰ基準規格に準じるメイクアップアイライン及びアイブロウ、口紅は文房具類の鉛筆タイプや本体中部を回転させながら芯先を繰り出す機能を有するさまざまな形、デザインを凝らした製品が生産、使用されている。また鉛筆タイプのアイラインには２色を有するのが生産されているが３本以上有する製品がないのが現状であるがクレヨンでは多色ものも生産されているのが現状である。
【発明の開示】
【発明が解決しようとする課題】
【０００３】上述ののように従来技術に関わるメイクアップ用アイライン、アイブロウ、口紅製品は、単色であり、鉛筆タイプは２色もあるが３色以上有するアイライン、アイブロウ、口紅は単一製品では生産されておらず、また従来製品の繰り出し機能のアイラインは両手の指先で回転させながら使用する。【０００４】従来、文房具類筆記具で筒状複数収納の通称ロケットペンシル、クレヨンで見られる内蔵部材を後ろから押し出しながら使用する製品があるが鉛筆の芯、クレヨン本体が内蔵部材に取り付けられているが取り付け部から折れた場合は使用不可能となる。【０００５】鉛筆タイプのアイライン及びアイブロウは芯本体が軟らかい材質によって形成されて作られていますので削器などで削る時たびたび折れる事が起こるのが現状である。使用者にとって使用しながら目減りするのは良いが削っている時に折れるのは不本意であると感じているのが現状である。
【課題を解決するするための手段】
【０００６】上述の目的を達成する本発明の筒状複数収納送りだし機能付き本製品は単一製品の筒状に複数のアイライン、アイブロウ、口紅を収納が出来且つ複数色を有する製品化が可能であり送りだし機能付き内蔵部材に装着されたアイライン、アイブロウ，口紅は取り付け部から折れた場合も送りだせば使用出来、削る必要もなくまた本体筒状にキャップを装着させアイライン、アイブロウ，口紅の芯をゴミ、ホコリなどつかないように衛生的に保管できるしまた回りを汚さない。
【発明の効果】
【０００７】以上説明したように本発明によれば筒状複数体、複数色のアイラインアイブロウ、口紅が単一製品に収納されており従来の文房具の通称ロケットタイプの筆記具に見られる芯が折れた場合使用が出来なくなる事をさまざまな送りだし機能方法で解決し且つ複数体、複数色の本製品が装填されているので使用者は携帯性に便利であり、さまざまな状況によってメイクアップが楽しめる状況を提供することができる。
【発明を実施するための最良の形態】
【０００８】以下本発明の実施の形態を図面に基ずき詳細に説明する。【０００９】      ［図１］は筒内面送りだし部材がイド付き３．筒の本体軸に８．筒ｂ送りだし本体にアイライン及びアイブロウ、口紅の完成体を４セットそれぞれ別色で装填されており１．筒先端部に２．キャップをかぶせゴミ、ホコリなどの付着を防ぎ衛生的に保持ができる。【００１０】      ［図５］のアイライン、アイブロウ及び口紅の完成体は［図２］筒ａの後方から装填され使用される。【００１１】            ［図２］は１．筒ａの本体軸は硬質プラスチック製で内面最上部に強度、弾性に富んだプラスチック製の［図３］４．送りだし及びアイライン、アイブロウ、口紅保持部材の１２．ハンドレバーの前進を妨げないガイドを有する。【００１２】            ［図３］は上述のように強度及び弾性性質のあるプラスチック製の４．送りだし芯保持部材１２．のハンドレバーを押し下げながら前進させ６．の横幅の長さ分だけ芯が進められ６．の奥行き幅９．のガイド縦幅に納まり芯のストッパーとなるものである。９．のガイドの長さはアイライン、アイブロウ、口紅の長さによってガイドの長さを調節する事ができる。【００１３】            ［図４］は［図３］の４．送りだし及び芯保持部材の１２．ハンドレバー部を押し下げ後方穴８．筒ｂに装填し１２．ハンドレバー部最上部１２．が９．の縦幅に納まる。【００１４】            ［図５］は４．送りだし及び芯保持部材を８．筒ｂにアイライン、アイブロウまたはアイブロウの装填した図である。
口紅の場合、口紅サイズによって各部材の寸法は変更し生産する。
【図面の簡単な説明】
【００１５】
【図１】本発明の実施の形態による外観斜視図である。
【図２】筒（本体軸Ａ）とキャップの断面図である。
【図３】筒内面送りだし部材の断面図である。
【図４】筒（本体軸Ｂ）の断面図である。
【図５】［図４］の本体軸Ｂに［図３］の筒内面送りだし部材を装填した断面図である。
【符号の説明】
【００１６】１      筒ａ（本体軸Ａ）                ７      送りだし部材本体
２      キャップ                        ８      筒ｂ（本体軸Ｂ）
３      筒内面送りだし部材ガイド        ９      送りだしレバーピッチがイド
４      送りだし部材及び芯保持部材      １０    アイライン／アイブロウ
５      送りだしレバー部突起            １１    筒ｂと送りだし本体に
６      送りだしピッチのストッパー              アイライン装填図
１２    ハンドレバー部